(57)【要約】【課題】マルチアンテナ通信による過剰な信号処理を抑制し、消費電力の増大を防ぐ。【解決手段】基地局１２は、複数のアンテナ２０を用いて下り信号を送信する基地局１２のマルチアンテナ送信性能値を推定する送信性能推定部５２と、複数の受信アンテナを用いて下り信号を受信する移動局のマルチアンテナ受信性能値を推定する受信性能推定部５４と、移動局により検出される下り信号の信号品質を取得する無線信号品質取得部５６と、無線信号品質取得部５６により取得される下り信号の信号品質が所定の品質を満たす場合に、その下り信号の信号品質と、送信性能推定部５２により推定されるマルチアンテナ送信性能値と、受信性能推定部５４により推定されるマルチアンテナ受信性能値と、に基づいて、基地局１２のマルチアンテナ送信性能および移動局のマルチアンテナ受信性能の少なくとも一方を縮退させる通信性能縮退部５８と、を含む。【選択図】図２
2010081482.tif 000002
【特許請求の範囲】
【請求項１】
複数の送信アンテナを用いて無線信号を送信する送信装置のマルチアンテナ送信性能値を推定する送信性能推定手段と、
複数の受信アンテナを用いて前記無線信号を受信する受信装置のマルチアンテナ受信性能値を推定する受信性能推定手段と、
前記受信装置により検出される前記無線信号の信号品質を取得する無線信号品質取得手段と、
前記無線信号品質取得手段により取得される前記無線信号の信号品質が所定の品質を満たす場合に、前記無線信号の信号品質と、前記送信性能推定手段により推定される前記マルチアンテナ送信性能値と、前記受信性能推定手段により推定される前記マルチアンテナ受信性能値と、に基づいて、前記送信装置のマルチアンテナ送信性能および前記受信装置のマルチアンテナ受信性能の少なくとも一方を縮退させる通信性能縮退手段と、
を含むことを特徴とする無線通信システム。
【請求項２】
請求項１に記載の無線通信システムにおいて、
前記通信性能縮退手段は、前記無線信号品質取得手段により取得される前記無線信号の信号品質が所定の品質を満たす場合に、前記送信装置の消費電力に係るオフセット値と、前記受信装置の消費電力に係るオフセット値と、にさらに基づいて、前記送信装置のマルチアンテナ送信性能および前記受信装置のマルチアンテナ受信性能の少なくとも一方を縮退させる、
ことを特徴とする無線通信システム。
【請求項３】
請求項１または２に記載の無線通信システムにおいて、
前記通信性能縮退手段は、前記無線信号品質取得手段により取得される前記無線信号の信号品質が前記所定の品質を満たす場合に、前記送信装置が前記無線信号の送信に用いる前記送信アンテナの本数および前記受信装置が前記無線信号の受信に用いる前記受信アンテナの本数の少なくとも一方を低減する、
ことを特徴とする無線通信システム。
【請求項４】
請求項１から３のいずれかに記載の無線通信システムにおいて、
前記通信性能縮退手段は、前記無線信号品質取得手段により取得される前記無線信号の信号品質が前記所定の品質を満たす場合に、前記送信装置の送信制御方式および前記受信装置の受信制御方式の少なくとも一方を演算量のより少ない方式に切り替える、
ことを特徴とする無線通信システム。
【請求項５】
請求項１から４のいずれかに記載の無線通信システムにおいて、
前記送信性能推定手段は、前記送信装置が前記無線信号の送信に用いる前記送信アンテナの本数、前記送信装置が前記無線信号の送信に用いる送信制御方式、前記送信装置において検出される干渉レベル、前記受信装置により検出される前記無線信号の信号品質、および前記受信装置の移動速度の少なくとも１つに基づいて、前記送信装置のマルチアンテナ送信性能値を推定する、
ことを特徴とする無線通信システム。
【請求項６】
請求項１から５のいずれかに記載の無線通信システムにおいて、
前記受信性能推定手段は、前記受信装置が前記無線信号の受信に用いる前記受信アンテナの本数、前記受信装置が前記無線信号の受信に用いる受信制御方式、前記受信装置において検出される干渉レベル、および前記受信装置により検出される前記無線信号の変動パターンの少なくとも１つに基づいて、前記受信装置のマルチアンテナ受信性能値を推定する、
ことを特徴とする無線通信システム。
【請求項７】
請求項１から５のいずれかに記載の無線通信システムにおいて、
前記受信性能推定手段は、前記受信装置が前記受信アンテナの全部を用いて前記無線通信の受信を行った場合の前記無線信号の信号品質と、前記受信装置が前記受信アンテナのいずれか１本を用いて前記無線通信の受信を行った場合の前記無線信号の信号品質と、の差に基づいて、前記受信装置のマルチアンテナ受信性能値を推定する、
ことを特徴とする無線通信システム。
【請求項８】
複数の送信アンテナを用いた無線信号の送信に係るマルチアンテナ送信性能値を推定する送信性能推定手段と、
複数の受信アンテナを用いて前記無線信号を受信する受信装置のマルチアンテナ受信性能値を推定する受信性能推定手段と、
前記受信装置により検出される前記無線信号の信号品質を取得する無線信号品質取得手段と、
前記無線信号品質取得手段により取得される前記無線信号の信号品質が所定の品質を満たす場合に、前記無線信号の信号品質と、前記送信性能推定手段により推定される前記マルチアンテナ送信性能値と、前記受信性能推定手段により推定される前記マルチアンテナ受信性能値と、に基づいて、前記送信装置のマルチアンテナ送信性能および前記受信装置のマルチアンテナ受信性能の少なくとも一方を縮退させる通信性能縮退手段と、
を含むことを特徴とする送信装置。
【請求項９】
複数の送信アンテナを用いて無線信号を送信する送信装置のマルチアンテナ送信性能値を推定する送信性能推定手段と、
複数の受信アンテナを用いた前記無線信号の受信に係るマルチアンテナ受信性能値を推定する受信性能推定手段と、
前記無線信号の信号品質を取得する無線信号品質取得手段と、
前記無線信号品質取得手段により取得される前記無線信号の信号品質が所定の品質を満たす場合に、前記無線信号の信号品質と、前記送信性能推定手段により推定される前記マルチアンテナ送信性能値と、前記受信性能推定手段により推定される前記マルチアンテナ受信性能値と、に基づいて、前記送信装置のマルチアンテナ送信性能および前記受信装置のマルチアンテナ受信性能の少なくとも一方を縮退させる通信性能縮退手段と、
を含むことを特徴とする受信装置。
【請求項１０】
複数の送信アンテナを用いて無線信号を送信する送信装置のマルチアンテナ送信性能値を推定するステップと、
複数の受信アンテナを用いて前記無線信号を受信する受信装置のマルチアンテナ受信性能値を推定するステップと、
前記受信装置により検出される前記無線信号の信号品質を取得するステップと、
前記無線信号の信号品質が所定の品質を満たす場合に、前記無線信号の信号品質と、前記推定される前記マルチアンテナ送信性能値と、前記推定される前記マルチアンテナ受信性能値と、に基づいて、前記送信装置のマルチアンテナ送信性能および前記受信装置のマルチアンテナ受信性能の少なくとも一方を縮退させるステップと、
を含むことを特徴とする無線通信方法。
【発明の詳細な説明】
【技術分野】
【０００１】
本発明は、無線通信システム、送信装置、受信装置、および無線通信方法に関し、特に、複数のアンテナを用いて通信を行うマルチアンテナ通信に関する。
【背景技術】
【０００２】
ＤＳＰやＣＰＵなどのプロセッサの演算性能の向上により、複数のアンテナを用いて送信または受信される無線信号を処理するマルチアンテナ通信が実現されている。ここでいうマルチアンテナ通信の方式には、たとえば、アレー送信、ＳＤＭＡ（Space Division Multiple Access：空間分割多元接続）送信、ＣＳＴＤ（Cyclic Shift Transmission Diversity）送信、選択ダイバーシティ送信などのマルチアンテナ送信、およびＭＭＳＥ（Minimum Mean Square Error：最小平均二乗誤差）受信、ＭＲＣ（Maximum Ratio Combining：最大比合成）受信、ＭＬＤ（Maximum Likelihood Detection：最尤検出）受信などのマルチアンテナ受信が含まれる。
【０００３】
なお、特許文献１には、接続すべき無線基地局の種別に応じて当該無線基地局からの信号を受信するための受信動作モードを選択する無線端末装置が開示されている。
【特許文献１】特開２００３−０３２１７９号公報
【発明の開示】
【発明が解決しようとする課題】
【０００４】
しかしながら、演算性能の高いプロセッサは消費電力も大きいため、消費電力に制約のある通信装置にマルチアンテナ通信技術の搭載がなかなか進まないという現状がある。
【０００５】
本発明は、上記課題に鑑みてなされたものであり、マルチアンテナ通信による過剰な信号処理を抑制し、消費電力の増大を防ぐことができる無線通信システム、送信装置、受信装置、および無線通信方法を提供することを目的とする。
【課題を解決するための手段】
【０００６】
上記課題を解決するために、本発明に係る無線通信システムは、複数の送信アンテナを用いて無線信号を送信する送信装置のマルチアンテナ送信性能値を推定する送信性能推定手段と、複数の受信アンテナを用いて前記無線信号を受信する受信装置のマルチアンテナ受信性能値を推定する受信性能推定手段と、前記受信装置により検出される前記無線信号の信号品質を取得する無線信号品質取得手段と、前記無線信号品質取得手段により取得される前記無線信号の信号品質が所定の品質を満たす場合に、前記無線信号の信号品質と、前記送信性能推定手段により推定される前記マルチアンテナ送信性能値と、前記受信性能推定手段により推定される前記マルチアンテナ受信性能値と、に基づいて、前記送信装置のマルチアンテナ送信性能および前記受信装置のマルチアンテナ受信性能の少なくとも一方を縮退させる通信性能縮退手段と、を含むことを特徴とする。
【０００７】
本発明では、送信装置から送信され受信装置により受信される無線信号の信号品質が所定の品質を満たす場合に、送信装置のマルチアンテナ送信性能および受信装置のマルチアンテナ受信性能の少なくとも一方を縮退させる。このため、本発明によれば、マルチアンテナ通信による過剰な信号処理を抑制し、送信装置や受信装置における消費電力の増大を防ぐことができる。
【０００８】
また、本発明の一態様では、前記通信性能縮退手段は、前記無線信号品質取得手段により取得される前記無線信号の信号品質が所定の品質を満たす場合に、前記送信装置の消費電力に係るオフセット値と、前記受信装置の消費電力に係るオフセット値と、にさらに基づいて、前記送信装置のマルチアンテナ送信性能および前記受信装置のマルチアンテナ受信性能の少なくとも一方を縮退させる。
【０００９】
ここで、送信装置または受信装置の消費電力に係るオフセット値とは、消費電力に係る制約による優先度やバッテリ性能による許容度などに応じて決定される値である。この態様によれば、送信装置および受信装置それぞれの消費電力に係る制約やバッテリ性能などをさらに考慮して、送信装置のマルチアンテナ送信性能および受信装置のマルチアンテナ受信性能のいずれを縮退させるかを決定することができる。
【００１０】
また、本発明の一態様では、前記通信性能縮退手段は、前記無線信号品質取得手段により取得される前記無線信号の信号品質が前記所定の品質を満たす場合に、前記送信装置が前記無線信号の送信に用いる前記送信アンテナの本数および前記受信装置が前記無線信号の受信に用いる前記受信アンテナの本数の少なくとも一方を低減する。この態様によれば、低減されたアンテナの本数に応じて、消費電力の増大を防ぐことができる。
【００１１】
また、本発明の一態様では、前記通信性能縮退手段は、前記無線信号品質取得手段により取得される前記無線信号の信号品質が前記所定の品質を満たす場合に、前記送信装置の送信制御方式および前記受信装置の受信制御方式の少なくとも一方を演算量のより少ない方式に切り替える。この態様によれば、低減された演算量に応じて、消費電力の増大を防ぐことができる。
【００１２】
なお、上記各態様において、前記送信性能推定手段は、前記送信装置が前記無線信号の送信に用いる前記送信アンテナの本数、前記送信装置が前記無線信号の送信に用いる送信制御方式、前記送信装置において検出される干渉レベル、前記受信装置により検出される前記無線信号の信号品質、および前記受信装置の移動速度の少なくとも１つに基づいて、前記送信装置のマルチアンテナ送信性能値を推定してもよい。
【００１３】
また、前記受信性能推定手段は、前記受信装置が前記無線信号の受信に用いる前記受信アンテナの本数、前記受信装置が前記無線信号の受信に用いる受信制御方式、前記受信装置において検出される干渉レベル、および前記受信装置により検出される前記無線信号の変動パターンの少なくとも１つに基づいて、前記受信装置のマルチアンテナ受信性能値を推定してもよい。
【００１４】
また、前記受信性能推定手段は、前記受信装置が前記受信アンテナの全部を用いて前記無線通信の受信を行った場合の前記無線信号の信号品質と、前記受信装置が前記受信アンテナのいずれか１本を用いて前記無線通信の受信を行った場合の前記無線信号の信号品質と、の差に基づいて、前記受信装置のマルチアンテナ受信性能値を推定してもよい。
【００１５】
また、本発明に係る送信装置は、複数の送信アンテナを用いた無線信号の送信に係るマルチアンテナ送信性能値を推定する送信性能推定手段と、複数の受信アンテナを用いて前記無線信号を受信する受信装置のマルチアンテナ受信性能値を推定する受信性能推定手段と、前記受信装置により検出される前記無線信号の信号品質を取得する無線信号品質取得手段と、前記無線信号品質取得手段により取得される前記無線信号の信号品質が所定の品質を満たす場合に、前記無線信号の信号品質と、前記送信性能推定手段により推定される前記マルチアンテナ送信性能値と、前記受信性能推定手段により推定される前記マルチアンテナ受信性能値と、に基づいて、前記送信装置のマルチアンテナ送信性能および前記受信装置のマルチアンテナ受信性能の少なくとも一方を縮退させる通信性能縮退手段と、を含むことを特徴とする。
【００１６】
また、本発明に係る受信装置は、複数の送信アンテナを用いて無線信号を送信する送信装置のマルチアンテナ送信性能値を推定する送信性能推定手段と、複数の受信アンテナを用いた前記無線信号の受信に係るマルチアンテナ受信性能値を推定する受信性能推定手段と、前記無線信号の信号品質を取得する無線信号品質取得手段と、前記無線信号品質取得手段により取得される前記無線信号の信号品質が所定の品質を満たす場合に、前記無線信号の信号品質と、前記送信性能推定手段により推定される前記マルチアンテナ送信性能値と、前記受信性能推定手段により推定される前記マルチアンテナ受信性能値と、に基づいて、前記送信装置のマルチアンテナ送信性能および前記受信装置のマルチアンテナ受信性能の少なくとも一方を縮退させる通信性能縮退手段と、を含むことを特徴とする。
【００１７】
また、本発明に係る無線通信方法は、複数の送信アンテナを用いて無線信号を送信する送信装置のマルチアンテナ送信性能値を推定するステップと、複数の受信アンテナを用いて前記無線信号を受信する受信装置のマルチアンテナ受信性能値を推定するステップと、前記受信装置により検出される前記無線信号の信号品質を取得するステップと、前記無線信号の信号品質が所定の品質を満たす場合に、前記無線信号の信号品質と、前記推定される前記マルチアンテナ送信性能値と、前記推定される前記マルチアンテナ受信性能値と、に基づいて、前記送信装置のマルチアンテナ送信性能および前記受信装置のマルチアンテナ受信性能の少なくとも一方を縮退させるステップと、を含むことを特徴とする。
【発明を実施するための最良の形態】
【００１８】
以下、本発明の一実施形態を図面に基づいて詳細に説明する。
【００１９】
図１は、本発明の一実施形態に係る無線通信システム１０の構成図である。同図に示すように、無線通信システム１０は、基地局１２と、複数の移動局１４（ここでは移動局１４−１，１４−２のみを示す）と、を含んで構成される。基地局１２は、ＯＦＤＭＡ（Orthogonal Frequency Division Multiple Access：直交周波数分割多元接続）方式のほか、ＯＦＤＭを用いた通信方式、ＣＤＭＡ（Code Division Multiple Access：符号分割多元接続）方式、ＴＤＭＡ（Time Division Multiple Access：時分割多元接続）方式、ＦＤＭＡ（Frequency Division Multiple Access：周波数分割多元接続）方式などにより、複数の移動局１４と多重通信を行う。なお、基地局１２および移動局１４は、それぞれ複数のアンテナを有しており、相互にマルチアンテナ通信が可能となっている。
【００２０】
無線通信システム１０では、基地局１２から送信され移動局１４により受信される下り方向の無線信号（以下「下り信号」という）の信号品質が所定の品質を満たす場合に、基地局１２のマルチアンテナ送信性能および移動局１４のマルチアンテナ受信性能の少なくとも一方を縮退させる。また、移動局１４から送信され基地局１２により受信される上り方向の無線信号（以下「上り信号」という）の信号品質が所定の品質を満たす場合に、基地局１２のマルチアンテナ受信性能および移動局１４のマルチアンテナ送信性能の少なくとも一方を縮退させる。こうして、無線通信システム１０では、マルチアンテナ通信による過剰な信号処理を抑制し、基地局１２および移動局１４における消費電力の増大を防いでいる。
【００２１】
以下では、上記処理を実現するために基地局１２が備える構成について説明する。
【００２２】
図２は、基地局１２の機能ブロック図である。同図に示すように、基地局１２は、複数のアンテナ２０、ＲＦ部２２、ベースバンド処理部３０、ＭＡＣ部５０を含んで構成される。
【００２３】
各アンテナ２０は、無線信号を受信し、受信された無線信号をＲＦ部２２に出力する。また、各アンテナ２０は、ＲＦ部２２から供給される無線信号を移動局１４に対して送信する。
【００２４】
ＲＦ部２２は、低雑音増幅器、電力増幅器、周波数変換回路、帯域通過フィルタ、Ａ／Ｄ変換器、Ｄ／Ａ変換器、直並列変換器、並直列変換器を含んで構成される。ＲＦ部２２は、各アンテナ２０から入力される無線信号を低雑音増幅器で増幅し、中間周波数信号にダウンコンバートしてから、標本化されたディジタル信号をベースバンド処理部３０に出力する。また、ＲＦ部２２は、ベースバンド処理部３０から入力されるディジタル信号の標本値をアナログ信号に変換した後、無線信号にアップコンバートし、電力増幅器で送信出力レベルまで増幅してから、各アンテナ２０に供給する。
【００２５】
ベースバンド処理部３０は、たとえばＤＳＰで構成され、ＣＰ除去部３２、ＣＰ追加部３４、ＦＦＴ部３６、ＩＦＦＴ部３８、マルチアンテナ送受信処理部４０、上り信号処理部４２、および下り信号処理部４４を含む。
【００２６】
ＣＰ除去部３２は、ＲＦ部２２から入力される標本化されたディジタル信号からＣＰ（Cyclic Prefix：サイクリックプレフィックス）を除去し、得られたディジタル信号の標本値をＦＦＴ部３６に出力する。
【００２７】
ＦＦＴ部３６は、ＣＰが除去されたディジタル信号の標本値に離散フーリエ変換を施し、得られた複素シンボル列の各サブキャリア成分をマルチアンテナ送受信処理部４０に出力する。
【００２８】
ＩＦＦＴ部３８は、マルチアンテナ送受信処理部４０から入力される複素シンボル列の各サブキャリア成分に逆離散フーリエ変換を施し、得られたＯＦＤＭシンボルの標本値をＣＰ追加部３４に出力する。
【００２９】
ＣＰ追加部３４は、ＩＦＦＴ部３８から入力されるＯＦＤＭシンボルの標本値にＣＰを追加し、得られたディジタル信号の標本値をＲＦ部２２に出力する。
【００３０】
マルチアンテナ送受信処理部４０は、ＦＦＴ部３６から入力される複素シンボル列の各サブキャリア成分に対してマルチアンテナ受信に係る処理を行う。マルチアンテナ受信に係る処理には、ＭＭＳＥ受信、ＭＲＣ受信、ＭＬＤ受信などに係る処理が含まれ、これらの処理は、基地局１２が適用している受信制御方式に応じて切り替えられる。マルチアンテナ受信に係る処理が施された複素シンボル列は、上り信号処理部４２に出力される。
【００３１】
また、マルチアンテナ送受信処理部４０は、下り信号処理部４４から入力される複素シンボル列に対してマルチアンテナ送信に係る処理を行う。マルチアンテナ送信に係る処理には、アレー送信、ＳＤＭＡ送信、ＣＳＴＤ送信、選択ダイバーシティ送信などに係る処理が含まれ、これらの処理は、基地局１２が適用している送信制御方式に応じて切り替えられる。マルチアンテナ送信に係る処理が施された複素シンボル列の各キャリア成分は、ＩＦＦＴ部３８に出力される。
【００３２】
上り信号処理部４２は、マルチアンテナ送受信処理部４０から入力される複素シンボル列からシンボルの変調方式に応じた受信データを復号し、復号された受信データをＭＡＣ部５０に出力する。
【００３３】
下り信号処理部４４は、ＭＡＣ部５０から入力される送信データに対して、ＭＡＣ部により指定される変調方式に応じたシンボルマッピング（振幅と位相の割り当て）を行い、得られた複素シンボル列をマルチアンテナ送受信処理部４０に出力する。
【００３４】
ＭＡＣ部５０は、たとえばＣＰＵおよびＣＰＵの動作を制御するプログラムで構成され、送信性能推定部５２、受信性能推定部５４、無線信号品質取得部５６、および通信性能縮退部５８を含む。
【００３５】
送信性能推定部５２は、記憶部、ベースバンド処理部３０、上り信号処理部４２から入力される受信データなどから基地局１２の送信処理性能情報を取得し、取得された基地局１２の送信処理性能情報に基づいて、複数のアンテナ２０を用いて下り信号を送信する基地局１２のマルチアンテナ送信性能値Ｘｔを推定する。基地局１２の送信処理性能情報には、基地局１２が下り信号の送信に用いるアンテナ２０の本数、基地局１２が下り信号の送信に用いる送信制御方式、基地局１２において検出される干渉レベル、移動局１４により検出される下り信号の信号品質（たとえばＳＩＮＲ）、および移動局１４の移動速度などが含まれ、送信性能推定部５２は、これらのうち少なくとも１つに基づいて、基地局１２のマルチアンテナ送信性能値Ｘｔを推定する。
【００３６】
また、送信性能推定部５２は、上り信号処理部４２から入力される受信データなどから移動局１４の送信処理性能情報を取得し、取得された移動局１４の送信処理性能情報に基づいて、複数のアンテナを用いて上り信号を送信する移動局１４のマルチアンテナ送信性能値Ｙｔを推定する。移動局１４の送信処理性能情報には、移動局１４が上り信号の送信に用いるアンテナの本数、移動局１４が上り信号の送信に用いる送信制御方式、移動局１４において検出される干渉レベル、および基地局１２により検出される上り信号の信号品質（たとえばＳＩＮＲ）などが含まれ、送信性能推定部５２は、これらのうち少なくとも１つに基づいて、移動局１４のマルチアンテナ送信性能値Ｙｔを推定する。
【００３７】
受信性能推定部５４は、記憶部（図示せず）、ベースバンド処理部３０、上り信号処理部４２から入力される受信データなどから基地局１２の受信処理性能情報を取得し、取得された基地局１２の受信処理性能情報に基づいて、複数のアンテナ２０を用いて上り信号を受信する基地局１２のマルチアンテナ受信性能値Ｘｒを推定する。基地局１２の受信処理性能情報には、基地局１２が上り信号の受信に用いるアンテナ２０の本数、基地局１２が上り信号の受信に用いる受信制御方式、基地局１２において検出される干渉レベル、および基地局１２により検出される上り信号の変動パターンなどが含まれ、受信性能推定部５４は、これらのうち少なくとも１つに基づいて、基地局１２のマルチアンテナ受信性能値Ｘｒを推定する。
【００３８】
また、受信性能推定部５４は、上り信号処理部４２から入力される受信データなどから移動局１４の受信処理性能情報を取得し、取得された移動局１４の受信処理性能情報に基づいて、複数のアンテナを用いて下り信号を受信する移動局１４のマルチアンテナ受信性能値Ｙｒを推定する。移動局１４の受信処理性能情報には、移動局１４が下り信号の受信に用いるアンテナの本数、移動局１４が下り信号の受信に用いる受信制御方式、移動局１４において検出される干渉レベル、および移動局１４により検出される下り信号の変動パターンなどが含まれ、受信性能推定部５４は、これらのうち少なくとも１つに基づいて、移動局１４のマルチアンテナ受信性能値Ｙｒを推定する。
【００３９】
無線信号品質取得部５６は、ベースバンド処理部３０で検出される上り信号の信号品質（たとえばＣＱＩ（Channel Quality Indicator））を取得する。また、無線信号品質取得部５６は、上り信号処理部４２から入力される受信データから、移動局１４により検出される下り信号の信号品質（たとえばＣＱＩ）を取得する。
【００４０】
通信性能縮退部５８は、無線信号品質取得部５６により取得される下り信号の信号品質が所定の品質を満たす場合に、下り信号の信号品質と、送信性能推定部５２により推定されるマルチアンテナ送信性能値Ｘｔと、受信性能推定部５４により推定されるマルチアンテナ受信性能値Ｙｒと、に基づいて、基地局１２のマルチアンテナ送信性能および移動局１４のマルチアンテナ受信性能の少なくとも一方を縮退させる。ここで、通信性能縮退部５８は、基地局１２が下り信号の送信に用いるアンテナ２０の本数および移動局１４が下り信号の受信に用いるアンテナの本数の少なくとも一方を低減してもよい。また、通信性能縮退部５８は、基地局１２の送信制御方式および移動局１４の受信制御方式の少なくとも一方を演算量のより少ない方式に切り替えてもよい。
【００４１】
また、通信性能縮退部５８は、無線信号品質取得部５６により取得される上り信号の信号品質が所定の品質を満たす場合に、上り信号の信号品質と、送信性能推定部５２により推定されるマルチアンテナ送信性能値Ｘｔと、受信性能推定部５４により推定されるマルチアンテナ受信性能値Ｙｒと、に基づいて、基地局１２のマルチアンテナ送信性能および前記受信装置のマルチアンテナ受信性能の少なくとも一方を縮退させる。ここで、通信性能縮退部５８は、移動局１４が上り信号の送信に用いるアンテナの本数および基地局１２が上り信号の受信に用いるアンテナ２０の本数の少なくとも一方を低減してもよい。また、通信性能縮退部５８は、移動局１４の送信制御方式および基地局１２の受信制御方式の少なくとも一方を演算量のより少ない方式に切り替えてもよい。
【００４２】
次に、図３〜図１２に基づいて基地局１２の動作を説明する。
【００４３】
図３は、移動局１４との通信が開始されるとともに実行される、基地局１２の下り方向に係るマルチアンテナ通信縮退処理を示すフロー図である。同図に示すように、基地局１２は、まず、基地局１２の送信処理性能情報を取得する（Ｓ１００）。ここで取得される基地局１２の送信処理性能情報には、基地局１２が下り信号の送信に用いるアンテナ２０の本数、基地局１２が下り信号の送信に用いる送信制御方式などが含まれる。基地局１２の送信制御方式には、ＳＤＭＡ、ＣＳＴＤ、選択ダイバーシティなどがある。
【００４４】
次に、基地局１２は、移動局１４との間でネゴシエーション動作実施し、移動局１４の受信処理性能情報を取得する（Ｓ１０１）。ここで取得される移動局１４の受信処理性能情報には、移動局１４が下り信号の受信に用いるアンテナの本数、移動局１４が下り信号の受信に用いる受信制御方式などが含まれる。移動局１４の受信制御方式には、ＭＭＳＥ、ＭＲＣ、ＭＬＤなどがある。
【００４５】
そして、基地局１２は、基地局１２の送信処理性能情報と移動局１４の受信処理性能情報とに基づいて、基地局１２がマルチアンテナ送信可能で、かつ、移動局１４がマルチアンテナ受信可能であるか否かを判定する（Ｓ１０２）。ここで、基地局１２がマルチアンテナ送信可能でなければ、または、移動局１４がマルチアンテナ受信可能でなければ（Ｓ１０２：Ｎ）、基地局１２は本処理を終了する。
【００４６】
一方、基地局１２がマルチアンテナ送信可能で、かつ、移動局１４がマルチアンテナ受信可能であれば（Ｓ１０２：Ｙ）、基地局１２は、移動局１４で検出された下り信号の信号品質を示すＣＱＩを取得し（Ｓ１０３）、ＣＱＩが第１閾値を超えるか否かを判定する（Ｓ１０４）。第１閾値は、下り信号がマルチアンテナ通信の縮退を行うために十分な信号品質を有しているか否かを判定するために用いられる値である。ここで、ＣＱＩが第１閾値以下であれば（Ｓ１０４：Ｎ）、基地局１２は、すでにマルチアンテナ通信の縮退を行っている場合に限り当該マルチアンテナ通信の縮退を解除し（Ｓ１０５）、Ｓ１０３からの処理を再び実行する。これに対し、ＣＱＩが第１閾値を超えていれば（Ｓ１０４：Ｙ）、マルチアンテナ通信の縮退を行う（Ｓ１１０）。
【００４７】
図４は、図３におけるＳ１１０の処理の詳細を示すフロー図である。Ｓ１１０において、基地局１２は、ＣＱＩが第２閾値を超えるか否かを判定する（Ｓ１１１）。第２閾値は、下り信号が基地局１２のマルチアンテナ送信性能および移動局１４のマルチアンテナ受信性能の双方を縮退するために十分な信号品質を有しているか否かを判定するために用いられる値であり、第１閾値よりも大きい。ここで、ＣＱＩが第２閾値を超えていれば（Ｓ１１１：Ｙ）、基地局１２は、基地局１２のマルチアンテナ送信性能および移動局１４のマルチアンテナ受信性能の双方を縮退する（Ｓ１１２）。
【００４８】
一方、ＣＱＩが第２閾値以下であれば（Ｓ１１１：Ｎ）、基地局１２は、基地局１２のマルチアンテナ送信性能値Ｘｔを推定する（Ｓ１２０）。
【００４９】
図５は、図４におけるＳ１２０の処理の一例を示すフロー図である。Ｓ１２０において、基地局１２は、基地局１２の送信制御方式を取得する（Ｓ１２１）。また、基地局１２は、他セルからの干渉の有無を判定する（Ｓ１２２）。他セルからの干渉の有無を判定する方法としては、自セル内のキャリアセンス、隣接基地局から受信されるレポート結果の参照などがある。
【００５０】
次に、基地局１２は、上記結果（Ｓ１２１で取得した基地局１２の送信制御方式、およびＳ１２２で判定した他セルからの干渉の有無）をマルチアンテナ送信性能値Ｘｔに換算する（Ｓ１２３）。たとえば、基地局１２が下り信号の送信に用いるアンテナ２０の本数が４本である場合、（１）基地局１２がＳＤＭＡ送信をしておらず、かつ、他セルからの干渉がなければ、Ｘｔ＝６ｄＢとし、（２）基地局１２がＳＤＭＡ送信をしておらず、かつ、他セルからの干渉があれば、Ｘｔ＝２０ｄＢとし、（３）基地局１２がＳＤＭＡ送信をしており、かつ、他セルからの干渉がなければ、Ｘｔ＝２０ｄＢとし、（４）基地局１２がＳＤＭＡ送信をしており、かつ、他セルからの干渉があれば、Ｘｔ＝１０ｄＢとする。なお、かかる換算は、シミュレーションなどにより測定され基地局１２内にテーブルとして予め記憶された情報に基づいて行ってもよい。
【００５１】
この後、基地局１２は、たとえば移動局１４で検出される下り信号のＳＮＲを取得し（Ｓ１２４）、取得された下り信号のＳＮＲに基づいて、マルチアンテナ送信性能値Ｘｔを補正する（Ｓ１２５）。たとえば、（Ａ）ＳＮＲ＞１５ｄＢであれば、Ｘｔは不変とし、（Ｂ）１５ｄＢ＞ＳＮＲ＞５ｄＢであれば、Ｘｔ＝Ｘｔ−２ｄＢ（上記（１）の場合）、Ｘｔ＝Ｘｔ−１０ｄＢ（上記（２）または（３）の場合）、Ｘｔ＝Ｘｔ−４ｄＢ（上記（４）の場合）とし、（Ｃ）ＳＮＲ＜５ｄＢであれば、Ｘｔ＝０ｄＢとする。
【００５２】
また、基地局１２は、ベースバンド処理部３０で検出される受信応答ベクトルのフレームごとの変動から、移動局１４の移動速度を推定し（Ｓ１２６）、推定された移動局１４の移動速度に基づいて、マルチアンテナ送信性能値Ｘｔをさらに補正してもよい（Ｓ１２７）。たとえば、（Ａ）移動局１４の移動速度が低速（３ｋｍ／ｈ未満）であれば、Ｘｔは不変とし、（Ｂ）移動局１４の移動速度が中速（３〜３０ｋｍ／ｈ）であれば、Ｘｔ＝Ｘｔ−１ｄＢ（上記（１）の場合）、Ｘｔ＝Ｘｔ−５ｄＢ（上記（２）または（３）の場合）、Ｘｔ＝Ｘｔ−２ｄＢ（上記（４）の場合）とし、（Ｃ）移動局１４の移動速度が高速（３ｋｍ／ｈ以上）であれば、Ｘｔ＝０ｄＢとしてもよい。
【００５３】
なお、基地局１２がＳＤＭＡ送信をしている場合、基地局は各ＳＤＭＡユーザ信号の空間相関値を推定し、推定された空間相関値に基づいて、マルチアンテナ送信性能値Ｘｔをさらに補正してもよい。たとえば、（Ａ）空間相関値が低相関値（０．３未満）であれば、Ｘｔは不変とし、（Ｂ）空間相関値が中相関値（０．３〜０．９）であれば、Ｘｔ＝Ｘｔ−５ｄＢ（上記（３）の場合）、Ｘｔ＝Ｘｔ−３ｄＢ（上記（４）の場合）とし、（Ｃ）空間相関値が高相関値（０．９以上）であれば、Ｘｔ＝０ｄＢとしてもよい。
【００５４】
こうして推定された基地局１２のマルチアンテナ送信性能値Ｘｔは、基地局１２のマルチアンテナ送信性能が高いほど大きくなり、基地局１２のマルチアンテナ送信性能が低いほど小さくなる。
【００５５】
続いて、図４に示すように、基地局１２は、移動局１４のマルチアンテナ受信性能値Ｙｒを推定する（Ｓ１３０）。
【００５６】
図６は、図４におけるＳ１３０の処理の一例を示すフロー図である。Ｓ１３０において、基地局１２は、移動局１４が下り信号の受信に用いるアンテナの本数を取得する（Ｓ１３１）。次に、基地局１２は、移動局１４の受信制御方式を取得する（Ｓ１３２）。さらに、基地局１２は、移動局１４により検出される下り信号の変動パターンに基づいて、伝搬路状況を推定する（Ｓ１３３）。また、基地局１２は、移動局１４により実行されるキャリアセンスの結果などに基づいて、移動局１４における干渉の有無を判定する（Ｓ１３４）。
【００５７】
そして、基地局１２は、上記結果に基づき、マルチアンテナ受信性能値Ｙｒを推定する（Ｓ１３５）。たとえば、移動局１４が下り信号の受信に用いるアンテナの本数が２本である場合、（Ａ−１）移動局１４の受信制御方式がＭＲＣであり、干渉がなく、下り信号の変動パターンが静特性であれば、Ｙｒ＝２ｄＢ、（Ａ−２）移動局１４の受信制御方式がＭＲＣであり、干渉がなく、下り信号の変動パターンが動特性であれば、Ｙｒ＝５ｄＢ、（Ｂ−１）移動局１４の受信制御方式がＭＭＳＥであり、干渉がなく、下り信号の変動パターンが静特性であれば、Ｙｒ＝２ｄＢ、（Ｂ−２）移動局１４の受信制御方式がＭＲＣであり、干渉がなく、下り信号の変動パターンが動特性であれば、Ｙｒ＝５ｄＢ、（Ｃ−１）移動局１４の受信制御方式がＭＬＤであり、干渉がなく、下り信号の変動パターンが静特性であれば、Ｙｒ＝３ｄＢ、（Ｃ−２）移動局１４の受信制御方式がＭＬＤであり、干渉がなく、下り信号の変動パターンが動特性であれば、Ｙｒ＝６ｄＢ、（Ｄ−１）移動局１４の受信制御方式がＭＲＣであり、干渉があり、下り信号の変動パターンが静特性であれば、Ｙｒ＝１ｄＢ、（Ｄ−２）移動局１４の受信制御方式がＭＲＣであり、干渉があり、下り信号の変動パターンが動特性であれば、Ｙｒ＝１ｄＢ、（Ｅ−１）移動局１４の受信制御方式がＭＭＳＥであり、干渉があり、下り信号の変動パターンが静特性であれば、Ｙｒ＝８ｄＢ、（Ｅ−２）移動局１４の受信制御方式がＭＲＣであり、干渉があり、下り信号の変動パターンが動特性であれば、Ｙｒ＝１１ｄＢ、（Ｆ−１）移動局１４の受信制御方式がＭＬＤであり、干渉があり、下り信号の変動パターンが静特性であれば、Ｙｒ＝１０ｄＢ、（Ｆ−２）移動局１４の受信制御方式がＭＬＤであり、干渉があり、下り信号の変動パターンが動特性であれば、Ｙｒ＝１３ｄＢとする。
【００５８】
なお、Ｓ１３０において、基地局１２は、図７に示す処理により移動局１４のマルチアンテナ受信性能値Ｙｒを推定してもよい。すなわち、基地局１２は、移動局１４がアンテナ全部を用いて受信を行った場合の下り信号のＳＩＮＲ（Ａｙ）を取得する（Ｓ１３６）。次に、基地局１２は、移動局１４がアンテナ１本を用いて受信を行った場合の下り信号のＳＩＮＲ（Ｂｙ）を取得する（Ｓ１３７）。そして、基地局１２は、取得されたＡｙとＢｙとの差に基づいて、マルチアンテナ受信性能値Ｙｒを算出する（Ｓ１３８）。つまり、Ｙｒ＝Ａｙ−Ｂｙとする。
【００５９】
こうして推定された移動局１４のマルチアンテナ受信性能値Ｙｒは、移動局１４のマルチアンテナ受信性能が高いほど大きくなり、移動局１４のマルチアンテナ受信性能が低いほど小さくなる。
【００６０】
Ｓ１２０で基地局１２のマルチアンテナ送信性能値Ｘｔが推定され、Ｓ１３０で移動局１４のマルチアンテナ受信性能値Ｙｒが推定されると、図４に示すように、基地局１２は、そのマルチアンテナ送信性能値Ｘｔとマルチアンテナ受信性能値Ｙｒとに基づいて、基地局１２のマルチアンテナ送信性能および移動局１４のマルチアンテナ受信性能の少なくとも一方を縮退させる。
【００６１】
すなわち、基地局１２は、Ｘｔ−αがＹｒ−βより大きいか否かを判定する（Ｓ１４０）。ここで、αは、基地局１２の消費電力に係るオフセット値であり、βは、移動局１４の消費電力に係るオフセット値である。消費電力に係るオフセット値とは、消費電力に係る制約による優先度やバッテリ性能による許容度などに応じて決定される値である。そして、Ｘｔ−α＞Ｙｒ−βであれば（Ｓ１４０：Ｙ）、基地局１２は、移動局１４にマルチアンテナ受信性能を縮退させよう指示する（Ｓ１４１）。移動局１４は、基地局１２の指示に従って、下り信号の受信に用いるアンテナの本数を低減してもよいし、移動局１４の受信制御方式を演算量のより少ない方式に切り替えてもよい。
【００６２】
一方、Ｘｔ−α＜Ｙｒ−βであれば（Ｓ１４０：Ｎ）、基地局１２は、基地局１２のマルチアンテナ送信性能を縮退させる（Ｓ１４２）。ここで、基地局１２は、下り信号の送信に用いるアンテナ２０の本数を低減してもよいし、基地局１２の送信制御方式を演算量のより少ない方式に切り替えてもよい。
【００６３】
これにより、基地局１２および移動局１４それぞれの消費電力に係る制約やバッテリ性能などを考慮して、基地局１２のマルチアンテナ送信性能および移動局１４のマルチアンテナ受信性能のいずれを縮退させるかを決定することができる。
【００６４】
マルチアンテナ通信の縮退が開始されると、図３に示すように、基地局１２は、通信エラーが発生したか否かを監視し（Ｓ１５０，Ｓ１５１）、通信エラーの発生を検出すると（Ｓ１５０：Ｙ）、またはマルチアンテナ通信の縮退開始から一定時間が経過すると（Ｓ１５１：Ｙ）、Ｓ１０３からの処理を再び実行する。
【００６５】
これに対し、図８は、移動局１４との通信が開始されるとともに実行される、基地局１２の上り方向に係るマルチアンテナ通信縮退処理を示すフロー図である。同図に示すように、基地局１２は、まず、基地局１２の受信処理性能情報を取得する（Ｓ２００）。ここで取得される基地局１２の受信処理性能情報には、基地局１２が上り信号の受信に用いるアンテナ２０の本数、基地局１２が上り信号の受信に用いる受信制御方式などが含まれる。基地局１２の受信制御方式には、ＭＭＳＥ、ＭＲＣ、ＭＬＤなどがある。
【００６６】
次に、基地局１２は、移動局１４との間でネゴシエーション動作実施し、移動局１４の送信処理性能情報を取得する（Ｓ２０１）。ここで取得される移動局１４の送信処理性能情報には、移動局１４が上り信号の送信に用いるアンテナの本数、移動局１４が上り信号の送信に用いる送信制御方式などが含まれる。移動局１４の送信制御方式には、アレー送信、ＣＳＴＤ、選択ダイバーシティなどがある。
【００６７】
そして、基地局１２は、基地局１２の受信処理性能情報と移動局１４の送信処理性能情報とに基づいて、基地局１２がマルチアンテナ受信可能で、かつ、移動局１４がマルチアンテナ送信可能であるか否かを判定する（Ｓ２０２）。ここで、基地局１２がマルチアンテナ受信可能でなければ、または、移動局１４がマルチアンテナ送信可能でなければ（Ｓ２０２：Ｎ）、基地局１２は本処理を終了する。
【００６８】
一方、基地局１２がマルチアンテナ受信可能で、かつ、移動局１４がマルチアンテナ送信可能であれば（Ｓ２０２：Ｙ）、基地局１２は、上り信号の信号品質を示すＣＱＩを検出し（Ｓ２０３）、ＣＱＩが第１閾値を超えるか否かを判定する（Ｓ２０４）。第１閾値は、上り信号がマルチアンテナ通信の縮退を行うために十分な信号品質を有しているか否かを判定するために用いられる値である。ここで、ＣＱＩが第１閾値以下であれば（Ｓ２０４：Ｎ）、基地局１２は、すでにマルチアンテナ通信の縮退を行っている場合に限り当該マルチアンテナ通信の縮退を解除し（Ｓ２０５）、Ｓ２０３からの処理を再び実行する。これに対し、ＣＱＩが第１閾値を超えていれば（Ｓ２０４：Ｙ）、マルチアンテナ通信の縮退を行う（Ｓ２１０）。
【００６９】
図９は、図８におけるＳ２１０の処理の詳細を示すフロー図である。Ｓ２１０において、基地局１２は、ＣＱＩが第２閾値を超えるか否かを判定する（Ｓ２１１）。第２閾値は、上り信号が基地局１２のマルチアンテナ受信性能および移動局１４のマルチアンテナ送信性能の双方を縮退するために十分な信号品質を有しているか否かを判定するために用いられる値であり、第１閾値よりも大きい。ここで、ＣＱＩが第２閾値を超えていれば（Ｓ２１１：Ｙ）、基地局１２は、基地局１２のマルチアンテナ受信性能および移動局１４のマルチアンテナ送信性能の双方を縮退する（Ｓ２１２）。
【００７０】
一方、ＣＱＩが第２閾値以下であれば（Ｓ２１１：Ｎ）、基地局１２は、基地局１２のマルチアンテナ受信性能値Ｘｒを推定する（Ｓ２２０）。
【００７１】
図１０は、図９におけるＳ２２０の処理の一例を示すフロー図である。Ｓ２２０において、基地局１２は、上り信号の受信に用いるアンテナ２０の本数を取得する（Ｓ２２１）。次に、基地局１２は、基地局１２の受信制御方式を取得する（Ｓ２２２）。さらに、基地局１２は、辺出される上り信号の変動パターンに基づいて、伝搬路状況を推定する（Ｓ２２３）。また、基地局１２は、キャリアセンスなどにより干渉の有無を判定する（Ｓ２２４）。
【００７２】
そして、基地局１２は、上記結果に基づき、マルチアンテナ受信性能値Ｘｒを推定する（Ｓ２２５）。たとえば、基地局１２が上り信号の受信に用いるアンテナの本数が２本である場合、（Ａ−１）基地局１２の受信制御方式がＭＲＣであり、干渉がなく、上り信号の変動パターンが静特性であれば、Ｘｒ＝２ｄＢ、（Ａ−２）基地局１２の受信制御方式がＭＲＣであり、干渉がなく、上り信号の変動パターンが動特性であれば、Ｘｒ＝５ｄＢ、（Ｂ−１）基地局１２の受信制御方式がＭＭＳＥであり、干渉がなく、上り信号の変動パターンが静特性であれば、Ｘｒ＝２ｄＢ、（Ｂ−２）基地局１２の受信制御方式がＭＲＣであり、干渉がなく、上り信号の変動パターンが動特性であれば、Ｘｒ＝５ｄＢ、（Ｃ−１）基地局１２の受信制御方式がＭＬＤであり、干渉がなく、上り信号の変動パターンが静特性であれば、Ｘｒ＝３ｄＢ、（Ｃ−２）基地局１２の受信制御方式がＭＬＤであり、干渉がなく、上り信号の変動パターンが動特性であれば、Ｘｒ＝６ｄＢ、（Ｄ−１）基地局１２の受信制御方式がＭＲＣであり、干渉があり、上り信号の変動パターンが静特性であれば、Ｘｒ＝１ｄＢ、（Ｄ−２）基地局１２の受信制御方式がＭＲＣであり、干渉があり、上り信号の変動パターンが動特性であれば、Ｘｒ＝１ｄＢ、（Ｅ−１）基地局１２の受信制御方式がＭＭＳＥであり、干渉があり、上り信号の変動パターンが静特性であれば、Ｘｒ＝８ｄＢ、（Ｅ−２）基地局１２の受信制御方式がＭＲＣであり、干渉があり、上り信号の変動パターンが動特性であれば、Ｘｒ＝１１ｄＢ、（Ｆ−１）基地局１２の受信制御方式がＭＬＤであり、干渉があり、上り信号の変動パターンが静特性であれば、Ｘｒ＝１０ｄＢ、（Ｆ−２）基地局１２の受信制御方式がＭＬＤであり、干渉があり、上り信号の変動パターンが動特性であれば、Ｘｒ＝１３ｄＢとする。
【００７３】
なお、Ｓ２２０において、基地局１２は、図１１に示す処理により基地局１２のマルチアンテナ受信性能値Ｘｒを推定してもよい。すなわち、基地局１２は、基地局１２がアンテナ２０全部を用いて受信を行った場合の上り信号のＳＩＮＲ（Ａｘ）を取得する（Ｓ２２６）。次に、基地局１２は、基地局１２がアンテナ２０の１本を用いて受信を行った場合の上り信号のＳＩＮＲ（Ｂｘ）を取得する（Ｓ２２７）。そして、基地局１２は、取得されたＡｘとＢｘとの差に基づいて、マルチアンテナ受信性能値Ｘｒを算出する（Ｓ２２８）。つまり、Ｘｒ＝Ａｘ−Ｂｘとする。
【００７４】
こうして推定された基地局１２のマルチアンテナ受信性能値Ｘｒは、基地局１２のマルチアンテナ受信性能が高いほど大きくなり、基地局１２のマルチアンテナ受信性能が低いほど小さくなる。
【００７５】
続いて、図９に示すように、基地局１２は、移動局１４のマルチアンテナ送信性能値Ｙｔを推定する（Ｓ２３０）。
【００７６】
図１２は、図９におけるＳ２３０の処理の一例を示すフロー図である。Ｓ２３０において、基地局１２は、移動局１４の送信制御方式を取得する（Ｓ２３１）。
【００７７】
次に、基地局１２は、取得された移動局１４の送信制御方式をマルチアンテナ送信性能値Ｙｔに換算する（Ｓ２３２）。たとえば、移動局１４が上り信号の送信に用いるアンテナの本数が２本である場合、（１）移動局１４の送信制御方式がアレー送信であれば、Ｙｔ＝３ｄＢとし、（２）移動局１４の送信制御方式がＣＳＴＤであれば、Ｙｔ＝１ｄＢとし、（３）移動局１４の送信制御方式が選択ダイバーシティであれば、Ｙｔ＝１ｄＢとする。なお、かかる換算は、シミュレーションなどにより測定され基地局１２内にテーブルとして予め記憶された情報に基づいて行ってもよい。
【００７８】
この後、基地局１２は、たとえば検出される上り信号のＳＮＲを取得し（Ｓ２３３）、取得された上り信号のＳＮＲに基づいて、マルチアンテナ送信性能値Ｙｔを補正する（Ｓ２３４）。たとえば、（Ａ）ＳＮＲ＞１５ｄＢであれば、Ｙｔは不変とし、（Ｂ）１５ｄＢ＞ＳＮＲ＞５ｄＢであれば、Ｙｔ＝Ｙｔ−２ｄＢ（上記（１）の場合）、Ｙｔは不変（上記（２）または（３）の場合）とし、（Ｃ）ＳＮＲ＜５ｄＢであれば、Ｙｔ＝０ｄＢ（上記（１）の場合）、Ｙｔは不変（上記（２）または（３）の場合）とする。
【００７９】
こうして推定された移動局１４のマルチアンテナ送信性能値Ｙｔは、移動局１４のマルチアンテナ送信性能が高いほど大きくなり、移動局１４のマルチアンテナ送信性能が低いほど小さくなる。
【００８０】
Ｓ２２０で基地局１２のマルチアンテナ受信性能値Ｘｒが推定され、Ｓ２３０で移動局１４のマルチアンテナ送信性能値Ｙｔが推定されると、図９に示すように、基地局１２は、そのマルチアンテナ受信性能値Ｘｒとマルチアンテナ受信性能値Ｙｔとに基づいて、基地局１２のマルチアンテナ受信性能および移動局１４のマルチアンテナ送信性能の少なくとも一方を縮退させる。
【００８１】
すなわち、基地局１２は、Ｘｒ−αがＹｔ−βより大きいか否かを判定する（Ｓ２４０）。ここで、αは、基地局１２の消費電力に係るオフセット値であり、βは、移動局１４の消費電力に係るオフセット値である。そして、Ｘｒ−α＞Ｙｔ−βであれば（Ｓ２４０：Ｙ）、基地局１２は、移動局１４にマルチアンテナ送信性能を縮退させよう指示する（Ｓ２４１）。移動局１４は、基地局１２の指示に従って、上り信号の送信に用いるアンテナの本数を低減してもよいし、移動局１４の送信制御方式を演算量のより少ない方式に切り替えてもよい。
【００８２】
一方、Ｘｒ−α＜Ｙｔ−βであれば（Ｓ２４０：Ｎ）、基地局１２は、基地局１２のマルチアンテナ受信性能を縮退させる（Ｓ２４２）。ここで、基地局１２は、上り信号の受信に用いるアンテナ２０の本数を低減してもよいし、基地局１２の受信制御方式を演算量のより少ない方式に切り替えてもよい。
【００８３】
これにより、基地局１２および移動局１４それぞれの消費電力に係る制約やバッテリ性能などを考慮して、基地局１２のマルチアンテナ受信性能および移動局１４のマルチアンテナ送信性能のいずれを縮退させるかを決定することができる。
【００８４】
マルチアンテナ通信の縮退が開始されると、図８に示すように、基地局１２は、通信エラーが発生したか否かを監視し（Ｓ２５０，Ｓ２５１）、通信エラーの発生を検出すると（Ｓ２５０：Ｙ）、またはマルチアンテナ通信の縮退開始から一定時間が経過すると（Ｓ２５１：Ｙ）、Ｓ２０３からの処理を再び実行する。
【００８５】
以上説明した無線通信システム１０によれば、マルチアンテナ通信による過剰な信号処理を抑制し、基地局１２や移動局１４における消費電力の増大を防ぐことができる。
【００８６】
なお、本発明は、上記実施形態に限定されるものではなく、様々の変形実施が可能である。たとえば、以上の説明では基地局１２がマルチアンテナ通信の縮退を制御する構成を示したが、基地局１２と同様の構成を備えた移動局１４がマルチアンテナ通信の縮退を制御するようにしてもよい。
【図面の簡単な説明】
【００８７】
【図１】本発明の実施形態に係る無線通信システムの構成図である。
【図２】本発明の実施形態に係る基地局の機能ブロック図である。
【図３】基地局の下り方向に係るマルチアンテナ通信縮退処理を示すフロー図である。
【図４】図３におけるＳ１１０の処理の詳細を示すフロー図である。
【図５】図４におけるＳ１２０の処理の一例を示すフロー図である。
【図６】図４におけるＳ１３０の処理の一例を示すフロー図である。
【図７】図４におけるＳ１３０の処理の他の例を示すフロー図である。
【図８】基地局の上り方向に係るマルチアンテナ通信縮退処理を示すフロー図である。
【図９】図８におけるＳ２１０の処理の詳細を示すフロー図である。
【図１０】図９におけるＳ２２０の処理の一例を示すフロー図である。
【図１１】図９におけるＳ２２０の処理の他の例を示すフロー図である。
【図１２】図９におけるＳ２３０の処理の一例を示すフロー図である。
【符号の説明】
【００８８】
１０  無線通信システム、１２  基地局、１４  移動局、２０  アンテナ、２２  ＲＦ部、３０  ベースバンド処理部、３２  ＣＰ除去部、３４  ＣＰ追加部、３６  ＦＦＴ部、３８  ＩＦＦＴ部、４０  マルチアンテナ送受信処理部、４２  上り信号処理部、４４  下り信号処理部、５０  ＭＡＣ部、５２  送信性能推定部、５４  受信性能推定部、５６  無線信号品質取得部、５８  通信性能縮退部。
【図１】
2010081482.tif 000003
【図２】
2010081482.tif 000004
【図３】
2010081482.tif 000005
【図４】
2010081482.tif 000006
【図５】
2010081482.tif 000007
【図６】
2010081482.tif 000008
【図７】
2010081482.tif 000009
【図８】
2010081482.tif 000010
【図９】
2010081482.tif 000011
【図１０】
2010081482.tif 000012
【図１１】
2010081482.tif 000013
【図１２】
2010081482.tif 000014